(57)【要約】【課題】パネルの輸送時における破損を防ぐことができる梱包装置を提供することを目的とする。【解決手段】端子取出し用のフレキシブル配線板１７を配置したパネル１０と、このパネル１０を個々に梱包するための梱包部材１８と、この梱包部材１８により個々に梱包したパネル梱包体２１を複数個収容するための集合梱包部材とを有し、前記集合梱包部材は、底部パレット２２上に結合して配置される段ボール製の立方体形状の梱包箱２４と、この梱包箱２４の内底部に配置されかつ前記パネル梱包体２１を立てた状態で複数個保持する溝を有する緩衝材２５と、前記梱包箱２４の４つのコーナー部に配置されるとともに前記梱包箱２４の内面と緩衝材２５との間に下端部が挿入された状態で配置されかつ上端が梱包箱２４の天板面２４ａに当接するＬ字形状の支柱部材２６とで構成した。【選択図】図３
2010058820.tif 000002
【特許請求の範囲】
【請求項１】
放電空間が形成されるように対向配置したガラス基板に電極群を配置するとともに前記電極群に接続された端子取出し用のフレキシブル配線板を周辺部に配置した平板形状のガラス製のパネルと、このパネルを個々に梱包するための梱包部材と、この梱包部材により個々に梱包したパネル梱包体を複数個収容するための集合梱包部材とを有し、前記集合梱包部材は、底部パレット上に結合して配置される段ボール製の立方体形状の梱包箱と、この梱包箱の内底部に配置されかつ前記パネル梱包体を立てた状態で複数個保持する溝を有する緩衝材と、前記梱包箱の４つのコーナー部に配置されるとともに前記梱包箱の内面と緩衝材との間に下端部が挿入された状態で配置されかつ上端が梱包箱の天板面に当接するＬ字形状の支柱部材とで構成したことを特徴とするプラズマディスプレイパネルの梱包装置。
【発明の詳細な説明】
【技術分野】
【０００１】
本発明は、大画面で、薄型、軽量のディスプレイ装置として知られているプラズマディスプレイ装置において、プラズマディスプレイパネル（以下パネルという）の梱包装置に関するものである。
【背景技術】
【０００２】
近年、プラズマディスプレイ装置は、視認性に優れた表示パネル（薄型表示デバイス）として注目されており、高精細化及び大画面化が進められている。
【０００３】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、ＡＣ型で面放電型のプラズマディスプレイ装置が主流を占めるようになってきている。
【０００４】
このようなプラズマディスプレイ装置においては、透明な一対のガラス基板を間に放電空間が形成されるように対向配置するとともにガラス基板に電極群を配置したパネルと、このパネルを保持するシャーシ部材と、このシャーシ部材に取り付けられ前記パネルに信号を印加して表示を行う表示駆動回路ブロックとでパネルモジュールを構成し、このパネルモジュールを筐体で覆うことにより完成品としている。
【０００５】
このようなプラズマディスプレイ装置は、液晶表示装置やＣＲＴなどの他の表示装置に比べて大画面を実現しやすく、また他の大型の表示装置に比べて鮮明な映像が得られるという特徴を有しており、このため多くの人が集まる場所での情報表示装置として、また家庭で迫力のある映像を楽しむことができる映像機器として脚光を集めている。
【０００６】
一方、このプラズマディスプレイ装置は、大画面を実現しやすいという反面、パネルの主要構成部品であるガラス基板として、大きいガラス基板が必要となり、また複数の放電セルを選択的にプラズマ放電させることにより画像を表示することから、表示駆動時に多くの熱が発生してしまう。このため、プラズマディスプレイ装置においては、他の表示装置では考慮しなくてもよかった事項について、対策を検討することが要求されている。
【０００７】
ところで、近年、この種のプラズマディスプレイ装置においては、パネルの製造に大規模な設備を準備する必要があることから、パネルを生産するメーカーよりパネルモジュールの状態で購入し、そのパネルモジュールに搭載されていない他の回路ブロックを組込むと共に、筐体内に入れてプラズマディスプレイ装置の完成品とすることが行われている。しかも、パネル単品ではなく、パネルにアルミニウムなどのシャーシを取付けた状態で輸送しており、シャーシにガラスが固定されているため、輸送等についても強度的にも何ら心配することはなかった。
【０００８】
一方、特許文献１に示すように、パネル単品の状態で輸送することも検討されているが、パネルはガラスで構成されているため、シャーシがない状態では強度的に非常に弱く、またパネルから引き出されたフレキシブル配線板をどのように梱包するかという大きな課題であった。
【特許文献１】特開２００４−６７１５９号公報
【発明の開示】
【発明が解決しようとする課題】
【０００９】
本発明はこのような課題に鑑みなされたもので、パネルの輸送時における破損を防ぐことができる梱包装置を提供することを目的とする。
【課題を解決するための手段】
【００１０】
上記課題を解決するために本発明は、放電空間が形成されるように対向配置したガラス基板に電極群を配置するとともに前記電極群に接続された端子取出し用のフレキシブル配線板を周辺部に配置した平板形状のガラス製のパネルと、このパネルを個々に梱包するための梱包部材と、この梱包部材により個々に梱包したパネル梱包体を複数個収容するための集合梱包部材とを有し、前記集合梱包部材は、底部パレット上に結合して配置される段ボール製の立方体形状の梱包箱と、この梱包箱の内底部に配置されかつ前記パネル梱包体を立てた状態で複数個保持する溝を有する緩衝材と、前記梱包箱の４つのコーナー部に配置されるとともに前記梱包箱の内面と緩衝材との間に下端部が挿入された状態で配置されかつ上端が梱包箱の天板面に当接するＬ字形状の支柱部材とで構成したことを特徴とするものである。
【発明の効果】
【００１１】
本発明によれば、集合梱包部材は、底部パレット上に結合して配置される段ボール製の立方体形状の梱包箱と、この梱包箱の内底部に配置されかつ前記パネル梱包体を立てた状態で複数個保持する溝を有する緩衝材と、前記梱包箱の４つのコーナー部に配置されるとともに前記梱包箱の内面と緩衝材との間に下端部が挿入された状態で配置されかつ上端が梱包箱の天板面に当接するＬ字形状の支柱部材とで構成したものであり、安価な段ボール製の梱包箱により、充分な強度でパネルを梱包することができ、しかも底部パレット上に結合して配置される段ボール製の立方体形状の梱包箱に収容する構造であり、少ない部品で構成されることから、輸送時の振動により共振する部分が減り、これによりパネル梱包体に加わる振動負荷も減らすことが可能となる。
【発明を実施するための最良の形態】
【００１２】
以下、本発明の一実施の形態について、図１〜図９を用いて説明するが、本発明はこれに限定されるものではない。
【００１３】
まず、プラズマディスプレイ装置について、図７〜図９を用いて説明する。図７にプラズマディスプレイ装置におけるパネルの構造を示している。図７に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１４】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【００１５】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１６】
図８にこのプラズマディスプレイパネルの電極配列を示している。図８に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【００１７】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１８】
図９に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルター及びパネル１０の保護を兼ねたガラス等からなる前面カバー１３が配置されている。また、この前面カバー１３には電磁波の不要輻射を抑制するために、例えば金属メッシュによる遮蔽部材が配置されている。さらに、バックカバー１２には、パネル１０等で発生した熱を外部に放出するための複数の通気孔１２ａが設けられている。
【００１９】
前記パネル１０は、平板形状のアルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００２０】
また、シャーシ部材１４の後面には、回路ブロック１６を取り付けたり、バックカバー１２を固定するためのピン１４ａが設けられている。
【００２１】
本発明はこのようなプラズマディスプレイ装置において、パネルの状態で輸送する場合の梱包装置に関する防ぐものであり、以下その実施の形態について図１〜図６を用いて詳しく説明する。
【００２２】
図１に本発明の一実施の形態によるパネルの梱包装置において、パネルを個々に梱包している状況を示し、図１において、平板形状のパネル１０は、上述したように放電空間が形成されるように対向配置した基板に電極群を配置するとともに、前記電極群に接続された端子取出し用のフレキシブル配線板１７をパネル１０の３辺の周辺部に配置したものである。
【００２３】
１８はこのパネル１０を個々に梱包するための梱包部材であり、この梱包部材１８は、二つ折り可能な梱包本体１９と、この梱包本体１９を二つ折りした状態で重ね合わせられる３辺の周縁部に着脱自在に取り付けられかつ前記梱包本体１９の周縁部を重ね合わせた状態で保持する止め具２０とから構成されている。前記梱包本体１９は、プラスチック段ボールなどのように中空構造を有するシート材により構成されており、二つ折りした状態で前記フレキシブル配線板１７を含めてパネル１０全体を覆うことが可能な面積を有するものである。
【００２４】
図２には、二つ折り可能な梱包本体１９を開いた状態を示しており、パネル１０は梱包本体１９に挟み込まれるようにして梱包され、これによりパネル梱包体２１が構成されている。
【００２５】
そして、本発明においては、図３〜図６に示すように、梱包部材１８により個々に梱包したパネル梱包体２１を複数個収容するための集合梱包部材を有するものである。
【００２６】
この集合梱包部材は、図３、図４、図５に示すように、底部パレット２２上にジョイント２３により結合して配置される段ボール製の立方体形状の梱包箱２４と、この梱包箱２４の内底部に配置されかつ前記パネル梱包体２１を立てた状態で複数個保持する図６に示すような溝２５ａを有する緩衝材２５と、前記梱包箱２４の４つのコーナー部に配置されるとともに前記梱包箱２４の内面と緩衝材２５との間に下端部が挿入された状態で配置されかつ上端が梱包箱２４の天板面２４ａに当接するＬ字形状の支柱部材２６とにより構成されている。
【００２７】
ここで、底部パレット２２と段ボール製の梱包箱２４とは、図５に示すように、底部パレット２２の結合片２２ａに設けた穴２２ｂと、梱包箱２４の底部側面に設けた穴２４ｂを貫通するようにジョイント２３を挿入することにより底部パレット２２に梱包箱２４が結合されている。また、底部パレット２２には、フォークリフトなどの搬送装置のアームが挿入可能な穴２２ｃが設けられている。
【００２８】
このように本発明においては、個々に梱包したパネル梱包体２１を複数個収容するための集合梱包部材において、底部パレット２２上に結合して配置される段ボール製の立方体形状の梱包箱２４と、この梱包箱２４の内底部に配置されかつ前記パネル梱包体２１を立てた状態で複数個保持する溝２５ａを有する緩衝材２５と、前記梱包箱２４の４つのコーナー部に配置されるとともに前記梱包箱２４の内面と緩衝材２５との間に下端部が挿入された状態で配置されかつ上端が梱包箱２４の天板面２４ａに当接するＬ字形状の支柱部材２６とで構成したもので、安価な段ボール製の梱包箱２４により、充分な強度でパネル１０を梱包して輸送することができ、しかも底部パレット２２上に結合して配置される段ボール製の立方体形状の梱包箱２４に収容する構造であり、少ない部品で構成されることから、輸送時の振動により共振する部分が減り、これによりパネル梱包体２１に加わる振動負荷も減らすことが可能となる。
【産業上の利用可能性】
【００２９】
以上のように本発明によれば、パネルを破損することなく輸送する上で有益な発明である。
【図面の簡単な説明】
【００３０】
【図１】本発明の一実施の形態によるプラズマディスプレイパネルの梱包装置を示す平面図
【図２】同梱包装置において、梱包本体を開いた様子を示す斜視図
【図３】同梱包装置において、集合梱包部材を示す分解斜視図
【図４】同梱包装置において、集合梱包部材により梱包した様子を示す斜視図
【図５】集合梱包部材において、底部パレットと梱包箱とを分離した様子を示す斜視図
【図６】集合梱包部材の要部構造を示す平面図
【図７】プラズマディスプレイ装置のパネル構造を示す斜視図
【図８】同パネルの電極配列を示す図
【図９】プラズマディスプレイ装置の全体構成を示す分解斜視図
【符号の説明】
【００３１】
１０  パネル
１７  フレキシブル配線板
１８  梱包部材
２１  パネル梱包体
２２  底部パレット
２４  梱包箱
２４ａ  天板面
２５  緩衝材
２５ａ  溝
２６  支柱部材
【図１】
2010058820.tif 000003
【図２】
2010058820.tif 000004
【図３】
2010058820.tif 000005
【図４】
2010058820.tif 000006
【図５】
2010058820.tif 000007
【図６】
2010058820.tif 000008
【図７】
2010058820.tif 000009
【図８】
2010058820.tif 000010
【図９】
2010058820.tif 000011